(57)【特許請求の範囲】
【請求項１】
洗濯機が設置される床の床面に位置する洗濯機用パンの底部に開口部を設け、この開口部に排水トラップおよび流量調整機能付水栓を収容した枠体を設置し、排水トラップを流量調整機能付水栓に対して移動自在に構成してある給排水一体型ユニット器具において、
枠体は、排水トラップのトラップ本体を含み、
このトラップ本体は、開口周縁部によって形成される上方開口と、フレキシブルパイプを介して排水配管に接続される流出部を有するとともに、この流出部より上流側に設けられて流出部に連通する環状の排出穴を上部位置に有し、
更に、排水トラップは、前記開口周縁部に、前記上方開口を覆う状態で、かつ、洗濯機用パンの底部と面一になるよう嵌め込まれた排水蓋を有し、
この排水蓋は、中央に設けられた穴を有するとともに、この穴のまわりに設けられた複数の排水孔を有する一方、
洗濯機の排水ホースが接続される入口上端部をトラップ本体から上向きに突出した状態で移動自在に設け、
この入口上端部には、排水蓋の中央に設けた前記穴を覆う鍔状の支持蓋が連設されており、
この支持蓋にも複数の排水孔が設けられていることを特徴とする洗濯機用パンに設置される給排水一体型ユニット器具。
【請求項２】
洗濯機用パンの底部が、対向する枠部の一方側から他方側に向かう程低くなるよう傾斜しており、設置位置が、対向する枠部の他方側である請求項１に記載された洗濯機用パンに設置される給排水一体型ユニット器具。
【発明の詳細な説明】
【０００１】
【発明の属する技術分野】
この発明は、洗濯機用パンに設置される給排水一体型ユニット器具に関するものである。
【０００２】
【従来の技術および発明が解決しようとする課題】
マンション等において床面の所定位置に置かれた従来の洗濯機用パンでは、排水トラップ用の取付孔と給水用水栓のための取付孔を、床の床面に当接する底部の離れた位置に設けていたから、排水トラップに接続される排水配管と給水用水栓に接続される給水配管を集約化できないという施工上の問題がある上、狭い設置空間では洗濯機の排水ホースと給水ホースの取り付けに手間がかかり不便であった。
【０００３】
また、既存の手洗い器以外の場所に新たに手洗い器を設置するには、既存の手洗い器の場合と同様の手間のかかる施工が必要であった。
【０００４】
この発明は、施工性を向上できる利便性を兼ね備えた洗濯機用パンに設置される給排水一体型ユニット器具を提供することを目的とする。
【０００５】
【課題を解決するための手段】
上記目的を達成するために、この発明は、洗濯機が設置される床の床面に位置する洗濯機用パンの底部に開口部を設け、この開口部に排水トラップおよび流量調整機能付水栓を収容した枠体を設置し、排水トラップを流量調整機能付水栓に対して移動自在に構成してある給排水一体型ユニット器具において、
枠体は、排水トラップのトラップ本体を含み、
このトラップ本体は、開口周縁部によって形成される上方開口と、フレキシブルパイプを介して排水配管に接続される流出部を有するとともに、この流出部より上流側に設けられて流出部に連通する環状の排出穴を上部位置に有し、
更に、排水トラップは、前記開口周縁部に、前記上方開口を覆う状態で、かつ、洗濯機用パンの底部と面一になるよう嵌め込まれた排水蓋を有し、
この排水蓋は、中央に設けられた穴を有するとともに、この穴のまわりに設けられた複数の排水孔を有する一方、
洗濯機の排水ホースが接続される入口上端部をトラップ本体から上向きに突出した状態で移動自在に設け、
この入口上端部には、排水蓋の中央に設けた前記穴を覆う鍔状の支持蓋が連設されており、
この支持蓋にも複数の排水孔が設けられていることを特徴とする洗濯機用パンに設置される給排水一体型ユニット器具を提供する。
【０００６】
【０００７】
【０００８】
【発明の実施の形態】
以下にこの発明の実施の形態について説明する。なお、この発明はそれによって限定されるものではない。
【０００９】
図１〜図３は、排水トラップを流量調整機能付水栓に対して移動自在に構成した参考例を示す。
【００１０】
図１〜図３において、１は例えば合成樹脂製の洗濯機用パンで、洗濯機２が設置される床板３の床面４に位置する平面視略矩形状の底部５と、底部５の周縁から上方へ向けて逆Ｕ字状に折曲連設され、下方開口６を有する枠部７とで構成される。
【００１１】
８は、給水用水栓９と排水トラップ１０を収容した平面視矩形の枠体である。この枠体８は、給水用水栓９および排水トラップ１０が収容された状態でパン１の底部５に設けた開口部１１に設置されている。３ａは床板３に設けた開口である。
【００１２】
前記給水用水栓９は、本出願人が例えば特願平１０−１１５９６６号で提案した流量調整機能付水栓である。すなわち、横長のハウジング１２内には弁機構を備えた水栓本体（図示せず）と、ダイヤル型の流量調整レバー１３の回動操作を弁機構に伝達する伝達機構と接続解除機構とが収容されている。１４は、水栓本体の水流出口に設けた継手で、この継手１４に洗濯機２の給水ホース１５側の継手１６を嵌入することで給水ホース１５と流量調整機能付水栓９の接続が完了する。これら継手１４，１６は給水ホース１５を流量調整機能付水栓９にワンタッチで簡単にセットできる簡易着脱機構を有するもので、本出願人が特願平１０−１１５９６６号や特願平９−２４９８７１号等で提案している。一方、弁機構の水流路に連通するよう水栓本体の水流入口に連通する流入部１７が設けられており、フレキシブルパイプ１８を介して給水配管に接続される。
【００１３】
また、洗濯機２の排水ホース１９は排水トラップ１０の本体１０ａから上向きに突出した入口上端部２０に接続され、本体１０ａの周壁に設けた流出口を有する流出部２１はフレキシブルパイプ２２を介して下水道に連通する排水配管に接続される。
【００１４】
一方、前記枠体８は、流量調整機能付水栓９が固定配置される枠体本体８ａとこの枠体本体８ａに対して排水トラップ１０とともに移動可能に構成された移動枠８ｂとからなる。そして、枠体本体８ａの下枠２３（図３参照）は、パン１の底部５と面一であり、この下枠２３に給水穴２４が穿設され、枠体本体８ａの上枠２６（図３参照）に流量調整レバー１３用の穴１３ａと継手１４用の穴１４ａが穿設されている。前記上枠２６はパン１の底部５より図３に示す高さＨだけ高く位置している。また、前記下枠２３に排水トラップ用の取付穴２５が穿設されている。
【００１５】
更に、前記枠体本体８ａは、移動枠８ｂのガイドを兼ねる連接部３０によって第１本体部分２８と第２本体部分２９に分けられている。そして、前記連接部３０には前記排水トラップ用の取付穴２５が形成されている。また、枠体本体８ａは、前記取付穴２５直上に上方開口３３を有する。
【００１６】
前記枠体本体８ａは開口部１１に設置される一方、移動枠８ｂは、箱状で、前記排水トラップ１０の入口上端部２０が突出した状態で嵌まり込む上面開口４０と、排水トラップ１０の本体１０ａが嵌まり込む大きさの下方開口３４を有し、前記枠体本体８ａに対して移動自在に設置されている。
【００１７】
３１は枠体本体８ａの第１本体部分２８に形成された側方開口、３２は枠体本体８ａの第２本体部分２９に形成された側方開口で、移動枠８ｂが挿入できる大きさを有する。
【００１８】
図２、図３は、排水トラップ１０が、前記排水トラップ用の取付穴２５の中央に位置している状態を示している。そして、例えば排水トラップ１０の入口上端部２０を第１本体部分２８側に押すことで移動枠８ｂが連接部３０によってガイドされ移動枠８ｂを流量調整機能付水栓９に近づけることができる。
【００１９】
４２は、流量調整機能付水栓９、排水トラップ１０および枠体８を覆う蓋部材で、第１本体部分２８の上端に枢支されている。
【００２０】
而して、排水配管と給水配管を集約化できることから、開口部１１に設置された枠体８内の流量調整機能付水栓９および排水トラップ１０それぞれの給水配管および排水配管に対する接続操作が容易である。
【００２１】
そして、狭い設置空間でも空間を損なうことなく洗濯機の排水ホースと給水ホースの取り付けを容易に行える。
【００２２】
図４、図５は、排水トラップ１０の排水蓋４５をパン１の底部５と面一に設けたこの発明の一実施形態を示す。なお、図４、図５において、図１〜図３に示した符号と同一のものは、同一または相当物である。
【００２３】
この場合、排水蓋４５には複数の排水孔４６が設けられている。そして、排水蓋４５はトラップ本体１０ａの上方開口４７を覆う状態で開口周縁部５６に嵌め込まれている。一方、排水トラップ１０の本体１０ａから上向きに突出した入口上端部２０には、所定位置に鍔状の支持蓋４８が連設され、排水蓋４５中央に設けた穴４９を覆う状態で左右方向（Ｓ方向）に移動可能となっている。前記支持蓋４８にも複数の排水孔５０が設けられている。５１はトラップ本体１０ａの上部位置に設けた環状の排出穴である。
【００２４】
この実施形態では、排水トラップ１０の排水蓋４５をパン１の底部５と面一に設けたので、パン１内の排水性能を向上できる。なお、パン１内の排水性を良くするために底部５は傾斜している。つまり、図１における枠部７のＡ側よりも対向する枠部７のＢ側が低くなっている。
【００２５】
【００２６】
【００２７】
【発明の効果】
以上説明したように、この発明は、施工性を向上できる利便性を兼ね備えた洗濯機用パンに設置される給排水一体型ユニット器具を提供できる。
【００２８】
【図面の簡単な説明】
【図１】  参考例における使用状態を示す図である。
【図２】  上記参考例における全体斜視図である。
【図３】  上記参考例における全体構成説明図である。
【図４】  この発明の一実施形態における全体構成説明図である。
【図５】  上記実施形態における全体斜視図である。。
【符号の説明】
１…洗濯機用パン、２…洗濯機、３…床板、４…床面、５…底部、８…枠体、９…流量調整機能付水栓、１０…排水トラップ、１０ａ…トラップ本体、１１…開口部、１５…給水ホース、１９…排水ホース、２０…入口上端部、２１…流出部、２２…フレキシブルパイプ、４５…排水蓋、４６…排水孔、４７…上方開口、４８…支持蓋、４９…中央穴、５０…排水孔、５１…排出穴、５６…開口周縁部。
【図１】
0004105812.tif 000002
【図２】
0004105812.tif 000003
【図３】
0004105812.tif 000004
【図４】
0004105812.tif 000005
【図５】
0004105812.tif 000006